(57)【要約】【課題】製造コストの増大を回避できるコネクタを提供することを目的とする。【解決手段】中継コネクタ１は、３本のバスバー１０Ａ、１０Ｂ、１０Ｃと、これらのバスバー１０Ａ、１０Ｂ、１０Ｃを保持するコネクタハウジング３０とを備え、コネクタハウジング３０が、メインハウジング４０と、メインハウジング４０に組み付けられるサブハウジング７０とを備えている。第１バスバー１０Ａは、基部１１Ａおよび延長部２１Ａと、延長部２１Ａから連なり、相手導電部材と接続される第２接続部２４Ａとを備えている。基部１１Ａと、延長部２１Ａのうち第２接続部２４Ａを除く部分とが、コネクタハウジング３０に保持される被保持部を構成しており、このうち、基部１１Ａと第１延長部２２Ａとが、メインハウジング４０の内部に埋設される埋設部を構成しており、第２延長部２３Ａが、サブハウジング７０の内部に収容される被収容部を構成している。【選択図】図２
2018116897.tif 000002
【特許請求の範囲】
【請求項１】
導電部材と、
前記導電部材を保持するコネクタハウジングとを備え、
前記導電部材が、前記コネクタハウジングに保持される被保持部と、前記被保持部から延びて相手導電部材と接続される接続部とを備え、
前記コネクタハウジングが、メインハウジングと、前記メインハウジングに組み付けられるサブハウジングとを備え、
前記被保持部が、前記メインハウジングに埋設される埋設部と、前記埋設部から連なり、前記サブハウジングの内部に収容される被収容部とを備えるコネクタ。
【請求項２】
前記メインハウジングと前記サブハウジングとの間に介在して前記メインハウジングと前記サブハウジングとの隙間をシールするシール部材を備える、請求項１のコネクタ。
【発明の詳細な説明】
【技術分野】
【０００１】
本明細書によって開示される技術は、コネクタに関する。
【背景技術】
【０００２】
従来、二つの機器を電気的に接続するコネクタにおいて、バスバーを合成樹脂製のコネクタブロック内にインサート成形により埋設したコネクタが知られている。このようなコネクタを製造する際には、金型にバスバーをセットし、金型内に溶融樹脂を供給して硬化させることで、コネクタブロックを成形する。
【先行技術文献】
【特許文献】
【０００３】
【特許文献１】特開平８−３０３３１８号公報
【発明の概要】
【発明が解決しようとする課題】
【０００４】
上記のような構成のコネクタが、例えば互いに離間して配置されている二つの機器を電気的に接続する長尺のコネクタなどの比較的大きなコネクタである場合、大きな金型が必要となるため、製造コストが増大するという問題がある。
【課題を解決するための手段】
【０００５】
本明細書によって開示されるコネクタは、導電部材と、前記導電部材を保持するコネクタハウジングとを備え、前記導電部材が、前記コネクタハウジングに保持される被保持部と、前記被保持部から延びて相手導電部材と接続される接続部とを備え、前記コネクタハウジングが、メインハウジングと、前記メインハウジングに組み付けられるサブハウジングとを備え、前記被保持部が、前記メインハウジングに埋設される埋設部と、前記埋設部から連なり、前記サブハウジングの内部に収容される被収容部とを備える。
【０００６】
上記の構成によれば、コネクタハウジングのうち、インサート成形により形成する部分がメインハウジングのみとなるため、コネクタハウジングの全体をインサート成形で形成する場合と比較して、金型を小型化でき、製造コストの増大を回避できる。
【０００７】
上記の構成において、コネクタが、前記メインハウジングと前記サブハウジングとの間に介在して前記メインハウジングと前記サブハウジングとの隙間をシールするシール部材を備えていてもよい。このような構成によれば、コネクタに防水性が必要な場合であっても、メインハウジングとサブハウジングとを備える構成を適用でき、製造コストの増大を回避できる。
【発明の効果】
【０００８】
本明細書によって開示される技術によれば、大型のコネクタであっても製造コストの増大を回避できる。
【図面の簡単な説明】
【０００９】
【図１】実施形態のコネクタの斜視図
【図２】実施形態のコネクタの平面図
【図３】実施形態のコネクタの正面図
【図４】実施形態のコネクタの側面図
【図５】図４のＡ−Ａ線断面図
【図６】実施形態のバスバーの斜視図
【発明を実施するための形態】
【００１０】
実施形態を、図１〜図６を参照しつつ説明する。本実施形態の中継コネクタ１は、互いに離間して配置されている二つの機器を電気的に接続するコネクタであり、一般にエクステンションと呼ばれているものである。中継コネクタ１は、図１に示すように、３本のバスバー１０Ａ、１０Ｂ、１０Ｃ（導電部材に該当）と、これら３本のバスバー１０Ａ、１０Ｂ、１０Ｃを保持するコネクタハウジング３０とを備える。コネクタハウジング３０は、内部に３本のバスバー１０Ａ、１０Ｂ、１０Ｃのそれぞれの一部が埋設されたメインハウジング４０と、メインハウジング４０に組み付けられるサブハウジング７０とを備える。
【００１１】
３本のバスバー１０Ａ、１０Ｂ、１０Ｃのそれぞれは、金属板材に打ち抜きおよび折り曲げ加工を施すことにより形成された部材である。
【００１２】
３本のバスバー１０Ａ、１０Ｂ、１０Ｃのうち１本は、第１バスバー１０Ａであって、図６に示すように、基部１１Ａと、基部１１Ａの一端から延びる第１接続部１６Ａと、基部１１Ａの他端から延びる延長部２１Ａとを備えている。
【００１３】
基部１１Ａは、全体としてＬ字の板状の部分であって、Ｌ字の一辺が第１基部１２Ａ、他辺が第２基部１３Ａとなっている。第２基部１３Ａは、第１基部１２Ａに近接する位置（第１屈曲部１４Ａ）と、中央よりもやや先端寄りの位置（第２屈曲部１５Ａ）との２か所で折れ曲がっている。第１屈曲部１４Ａと第２屈曲部１５Ａとの間の部分は、第１基部１２Ａに対して斜めに傾いている。また第２屈曲部１５Ａよりも先端側の部分は、第１基部１２Ａに対して垂直に延びている。
【００１４】
第１接続部１６Ａは、第２基部１３Ａの延出端から延びる短い矩形の板状の部分であって、ボルト挿通孔１７Ａを備えている。ボルト挿通孔１７Ａは、第１接続部１６Ａを相手バスバーと接続するためのボルト（図示せず）を挿通可能な貫通孔である。
【００１５】
延長部２１Ａは、第１基部１２Ａの先端部から、第２基部１３Ａとは反対方向に延びる帯状の部分である。図２に示すように、延長部２１Ａのうち基端側（第１基部１２Ａに接続する側）の一部は、第１延長部２２Ａとなっており、先端側の一部が、相手導電部材（図示せず）と接続される第２接続部２４Ａ（接続部に該当）となっており、第１延長部２２Ａと第２接続部２４Ａとの間の中間部分が、第２延長部２３Ａとなっている。第２接続部２４Ａは、第１接続部１６Ａと同様に、ボルト挿通孔２５Ａを有している。
【００１６】
基部１１Ａと、延長部２１Ａのうち第２接続部２４Ａを除く部分（第１延長部２２Ａおよび第２延長部２３Ａ）とが、コネクタハウジング３０に保持される被保持部を構成しており、このうち、基部１１Ａと第１延長部２２Ａとが、メインハウジング４０の内部に埋設される埋設部を構成しており、第２延長部２３Ａが、サブハウジング７０の内部に収容される被収容部を構成している（図２参照）。
【００１７】
他の２本のバスバー１０Ｂ、１０Ｃのうち、第１バスバー１０Ａに隣接して配置される１本は、第２バスバー１０Ｂであり、第２バスバー１０Ｂを挟んで第１バスバー１０Ａと反対側に配置される１本は、第３バスバー１０Ｃである。以下、第２バスバー１０Ｂにおいて第１バスバー１０Ａと異なる部分について説明し、第１バスバー１０Ａと同様の構成には、第１バスバー１０Ａの各構成と同一の符号に、添え字Ａに代えて添え字Ｂを付して説明を省略する。また第３バスバー１０Ｃも同様に、第１バスバー１０Ａと同様の構成には、第１バスバー１０Ａの各構成と同一の符号に、添え字Ａに代えて添え字Ｃを付して説明を省略する。
【００１８】
図６に示すように、第２バスバー１０Ｂにおいて、延長部２１Ｂと第１基部１２Ｂとは、第１基部１２Ｂに対して垂直に延びる段差部２６Ｂを介して連なっており、第１基部１２Ｂと延長部２１Ｂとの間には、小さな段差がある。また、第１屈曲部１４Ｂの第１基部１２Ｂからの距離は、第１バスバー１０Ａにおける第１屈曲部１４Ａの第１基部１２Ａからの距離よりもやや大きくなっている。
【００１９】
同様に、第３バスバー１０Ｃにおいて、延長部２１Ｃと第１基部１２Ｃとは、第１基部１２Ｃに対して垂直に延びる段差部２６Ｃを介して連なっており、第１基部１２Ｃと延長部２１Ｃとの間には、小さな段差がある。第３バスバー１０Ｃにおける第１基部１２Ｃと延長部２１Ｃとの段差は、第２バスバー１０Ｂにおける第１基部１２Ｂと延長部２１Ｂとの段差よりもやや大きくなっている。また、第１屈曲部１４Ｃの第１基部１２Ｃからの距離は、第２バスバー１０Ｂにおける第１屈曲部１４Ｂの第１基部１２Ｂからの距離よりもやや大きくなっている。
【００２０】
３本のバスバー１０Ａ、１０Ｂ、１０Ｃは、第１接続部１６Ａ、１６Ｂ、１６Ｃおよび延長部２１Ａ、２１Ｂ、２１Ｃが、それぞれ同一平面上に並ぶように配置され、第１基部１２Ａ、１２Ｂ、１２Ｃは、互いに間隔を空けて平行に配置されている。
【００２１】
メインハウジング４０は、合成樹脂製であって、インサート成形により３本のバスバー１０Ａ、１０Ｂ、１０Ｃと一体に形成されている。このメインハウジング４０は、図１および図２に示すように、ハウジング本体４１と、ハウジング本体４１の一端から連なる第１嵌合部５１と、ハウジング本体４１の他端から連なる第２嵌合部６１とを備えている。
【００２２】
ハウジング本体４１は、内部に３本のバスバー１０Ａ、１０Ｂ、１０Ｃの基部１１Ａ、１１Ｂ、１１Ｃの大部分が埋設される部分であって、図１に示すように、第１本体部４２と、第１本体部４２の一方の端部から延びる第２本体部４３と、第１本体部４２の他方の端部から延びる第３本体部４４とを備えている。
【００２３】
第１本体部４２は、一方向に長い矩形の厚板状の部分である。第２本体部４３は、第１本体部４２の一端部から延びる厚板状の部分であって、３本のバスバー１０Ａ、１０Ｂ、１０Ｃの第２基部１３Ａ、１３Ｂ、１３Ｃの折れ曲がり形状に沿うように、２か所で折れ曲がった形状を有している。第３本体部４４は、第２本体部４３とは反対側の端部から、第２本体部４３とは反対方向に延びる短い厚板状の部分である。
【００２４】
図３および図５に示すように、３本のバスバー１０Ａ、１０Ｂ、１０Ｃの第１基部１２Ａ、１２Ｂ、１２Ｃが第１本体部４２の内部に埋設され、第２基部１３Ａ、１３Ｂ、１３Ｃのうち先端部を除く大部分が第２本体部４３に、第１延長部２２Ａ、２２Ｂ、２２Ｃが第３本体部４４に、それぞれ埋設されている。
【００２５】
第１嵌合部５１は、機器ケースに取り付けられる部分であって、図１に示すように、第２本体部４３の延出端に配置された楕円板状の奥壁部５２と、この奥壁部５２の周縁から延びる筒状の周壁部５３とを備えている。図２、図３および図６に示すように、第１嵌合部５１の内部には、第２基部１３Ａ、１３Ｂ、１３Ｃの先端部が配置され、第１接続部１６Ａ、１６Ｂ、１６Ｃが第１嵌合部５１から外部に露出して配置されている。
【００２６】
第２嵌合部６１は、サブハウジング７０と嵌合する部分であって、図５に示すように、第３本体部４４の延出端に、第３本体部４４の延び方向に対して垂直に配置された楕円板状の第１止め壁部６２と、この第１止め壁部６２から延びる扁平な楕円柱状の第１シール保持部６３とを備えている。第１シール保持部６３は、外周面を基準として凹む第１シール保持溝６４を有しており、この第１シール保持溝６４には、第１シールリング６５（シール部材に該当）が装着されている。第２延長部２３Ａ、２３Ｂ、２３Ｃおよび第２接続部２４Ａ、２４Ｂ、２４Ｃは、第１シール保持部６３の端面（第１止め壁部６２と平行な面）から突出して配置されている。
【００２７】
サブハウジング７０は、図１に示すように、全体として扁平な楕円柱状のサブハウジング本体７１と、このサブハウジング本体７１の一端から連なるフード部８１と、サブハウジング７０の他端から連なるサブ嵌合部９１とを備えている。
【００２８】
サブハウジング本体７１は、図５に示すように、３つのキャビティ７２を有している。各キャビティ７２は、サブハウジング本体７１がメインハウジング４０に組み付けられた状態でメインハウジング４０と対向する一方の端面から他方の端面まで貫通する貫通孔であって、３本のバスバー１０Ａ、１０Ｂ、１０Ｃの第２延長部２３Ａ、２３Ｂ、２３Ｃをそれぞれ内部に受け入れることが可能となっている。
【００２９】
フード部８１は、第２嵌合部６１を内部に受け入れる部分であって、図４および図５に示すように、サブハウジング７０の一方の端縁から外側に向かって突出する鍔状の第１フランジ部８２と、この第１フランジ部８２からサブハウジング本体７１とは反対側に延びる楕円筒状の周壁部８３と、周壁部８３の延出端から外側に向かって突出する鍔状の第２フランジ部８４とを備えている。
【００３０】
サブ嵌合部９１は、中継コネクタ１と接続される相手コネクタ（図示せず）が嵌合する部分であって、図４および図５に示すように、サブハウジング本体７１の他方の端面に配置された楕円板状の第２止め壁部９２と、この第２止め壁部９２から延びる扁平な楕円柱状の第２シール保持部９３とを備えている。第２シール保持部９３は、外周面を基準として凹む第２シール保持溝９４を有しており、この第２シール保持溝９４には、第２シールリング９５が装着されている。
【００３１】
メインハウジング４０とサブハウジング７０とが組み付けられると、図５に示すように、フード部８１の内部に第２嵌合部６１が収容され、第２嵌合部６１とフード部８１との隙間が第１シールリング６５によりシールされる。また、第２延長部２３Ａ、２３Ｂ、２３Ｃがそれぞれキャビティ７２の内部に収容され、第２シール保持部９３の端面（第２止め壁部９２と平行な面）から、第２接続部２４Ａ、２４Ｂ、２４Ｃが外部に突出して配置される。
【００３２】
以上のように本実施形態によれば、中継コネクタ１は、３本のバスバー１０Ａ、１０Ｂ、１０Ｃと、これらのバスバー１０Ａ、１０Ｂ、１０Ｃを保持するコネクタハウジング３０とを備え、コネクタハウジング３０が、メインハウジング４０と、メインハウジング４０に組み付けられるサブハウジング７０とを備えている。３本のバスバー１０Ａ、１０Ｂ、１０Ｃのうち第１バスバー１０Ａは、基部１１Ａおよび延長部２１Ａと、延長部２１Ａから連なり、相手導電部材と接続される第２接続部２４Ａとを備えている。基部１１Ａと、延長部２１Ａのうち第２接続部２４Ａを除く部分とが、コネクタハウジング３０に保持される被保持部を構成しており、このうち、基部１１Ａと第１延長部２２Ａとが、メインハウジング４０の内部に埋設される埋設部を構成しており、第２延長部２３Ａが、サブハウジング７０の内部に収容される被収容部を構成している。他のバスバー１０Ｂ、１０Ｃについても同様である。
【００３３】
上記の構成によれば、コネクタハウジング３０のうち、インサート成形により形成する部分がメインハウジング４０のみとなるため、コネクタハウジング３０の全体をインサート成形で形成する場合と比較して、金型を小型化でき、製造コストの増大を回避できる。
【００３４】
また、中継コネクタ１は、メインハウジング４０とサブハウジング７０との間に介在してメインハウジング４０とサブハウジング７０との隙間をシールする第１シールリング６５を備える。このような構成によれば、コネクタに防水性が必要な場合であっても、メインハウジング４０とサブハウジング７０とを備える構成を適用でき、製造コストの増大を回避できる。
【００３５】
＜他の実施形態＞
本明細書によって開示される技術は上記記述及び図面によって説明した実施形態に限定されるものではなく、例えば次のような種々の態様も含まれる。
（１）上記実施形態では、中継コネクタ１は、３本のバスバー１０Ａ、１０Ｂ、１０Ｃを有していたが、導電部材の数や形態は適宜に変更可能である。
【００３６】
（２）上記実施形態では、コネクタは、互いに離間して配置されている二つの機器を電気的に接続する中継コネクタ１であったが、他の用途のコネクタであっても構わない。
【符号の説明】
【００３７】
１…中継コネクタ（コネクタ）
１０Ａ…第１バスバー（導電部材）
１０Ｂ…第２バスバー（導電部材）
１０Ｃ…第３バスバー（導電部材）
１１Ａ、１１Ｂ、１１Ｃ…基部（被保持部、埋設部）
２２Ａ、２２Ｂ、２２Ｃ…第１延長部（被保持部、埋設部）
２３Ａ、２３Ｂ、２３Ｃ…第２延長部（被保持部、被収容部）
２４Ａ、２４Ｂ、２４Ｃ…第２接続部（接続部）
３０…コネクタハウジング
４０…メインハウジング
６５…第１シールリング（シール部材）
７０…サブハウジング
【図１】
2018116897.tif 000003
【図２】
2018116897.tif 000004
【図３】
2018116897.tif 000005
【図４】
2018116897.tif 000006
【図５】
2018116897.tif 000007
【図６】
2018116897.tif 000008